(57)【特許請求の範囲】
【請求項１】
平行状態の左右の基礎型枠板の間隔を保持するとともにアンカーボルトを保持する金物において、基礎型枠板上に架け渡されて載置されるベース板と、該ベース板の下側に固定され左右の基礎型枠板の上端にそれぞれ嵌合する位置に設けられた一対の間隔保持部材と、該ベース板の上側に立設されベース板と所定の間隔を有しかつ平行部を有するアンカーボルト保持板とを具備してなり、
ベース板およびアンカーボルト保持板にアンカーボルト挿通孔を設け、前記間隔保持部材は、下向きに開口した略コ字状をしており、該略コ字状の大きさは基部において基礎型枠板の上部の幅と同じで、先端開口において大きく設定され、内側板より外側板を長く形成し、外側板は外側に開いた傾斜状に設けられることを特徴とする基礎型枠間隔保持用およびアンカーボルト保持用金物。
【請求項２】
ベース板および間隔保持部材を貫通して覗き兼固定用の貫通孔を設けることを特徴とする請求項１記載の基礎型枠間隔保持用およびアンカーボルト保持用金物。
【請求項３】
アンカーボルト保持板は、ベース板から垂直に立ち上がる両側板と該両側板間に延びベース板に平行な天板とからなることを特徴とする請求項１または２記載の基礎型枠間隔保持用およびアンカーボルト保持用金物。
【発明の詳細な説明】
【技術分野】
【０００１】
本発明は、住宅のコンクリート基礎形成時における、平行状態の左右の基礎型枠板の間隔を保持する基礎型枠間隔保持用金物および基礎にアンカーボルトを取り付ける際に、打設されたコンクリートが硬化するまで、アンカーボルトを保持するアンカーボルト支持用金物に関する。
【背景技術】
【０００２】
従来のコンクリート構造物の基礎型枠において、左右の基礎型枠板の間隔を保持する金物としては、図５に示すように、平行状態の左右の型枠板４Ａ、４Ｂから構成されている型枠４において、幅止金物本体２と鉄ピン３から構成され、左右の型枠板４Ａ、４Ｂの長手方向と直交方向をもって掛架した幅止金物本体２で左右の型枠板の内面を支持し、幅止金物本体の外方部分に打込む鉄ピン３で左右の型枠板の外面を支持するよう構成されているものが知られている（例えば、特許文献１参照。以下「従来技術１」という。）。
【０００３】
また、一般に、住宅のコンクリート基礎には、基礎と上部構造物となる住宅の躯体とを接合するためのアンカーボルトが、下部をコンクリート基礎に埋設し、上部をコンクリート基礎上面から上方に延出した状態で取り付けられている。上記アンカーボルトの基礎への取り付けは、例えば、コンクリート基礎用の型枠にコンクリートを打設する前に、アンカーボルトをその下部が打設されたコンクリートに埋設されるように所定位置に配置し、次いで、型枠内にコンクリート打設することで行われている。
【０００４】
従来、コンクリート打設前にアンカーボルトを所定位置に配置するためのアンカーボルト支持具として、図６に示されるように、基礎型枠２の互いに対向して配置される二つの型枠材３、３上に架け渡された状態で載置される矩形状の支持板４と、支持板４の両端部において、支持板４の一部を切り抜いて下方に折り曲げた規制部５、５と、上記支持板４の中央部において略垂直に立設された支柱板部６と、該支柱板部６の上端部から支持板４と平行に延出した延出板部７と、上記支持板４及び延出板部７の互いに重なる位置にそれぞれ設けられた挿通孔８、９と、アンカーボルト１０の上端部に螺合させられるナット１１とからなるものが知られている（例えば、特許文献２参照。以下「従来技術２」という。）。
【特許文献１】特開２００３−５６１８０号公報
【特許文献２】特開平１０−２３７８７６号公報
【発明の開示】
【発明が解決しようとする課題】
【０００５】
しかし、従来技術１の基礎型枠板の間隔を保持する金物は、平行状態の左右の型枠板の間隔をある程度一定に保持するものであるが、アンカーボルトを保持することはできなかった。また、左右の型枠板４Ａ、４Ｂを保持する際、型枠板の内側は幅止金物本体２に当接するため、一応、内側の位置は決められるが、型枠板の外側は鉄ピン３で止められるため、打ち込まれる鉄ピン３の打ち込み状態により外側に動いたり、あるいは、反対側の型枠を押す方向に動いたりするという欠点があった。
【０００６】
一方、従来技術２のアンカーボルト支持具は、アンカーボルトを支持する機能を有するだけで、基礎型枠板の間隔を保持する機能を有するものではなかった。
すなわち、従来技術２においては、支持板４の一部を切り抜いて下方に折り曲げた規制部５、５が設けられているが、これは支持板４を型枠の中央に位置させるものであって、左右の型枠板の間隔を保持するためのものではなかった。
【０００７】
このように、従来技術においては、基礎型枠板の間隔を保持する金物とアンカーボルトを支持する金物は別々に形成され、別々に設置されおよび撤去されることから、金物の種類が増えると同時に金物の設置および撤去作業が増大するという問題があった。また、これら金物は基礎型枠の長手方向に所定の間隔で複数設置されるものであり、２種類の金物が設置されるとそれらの設置のピッチが細かくなり、コンクリート打設時に打設されるコンクリートが金物に邪魔される格好になり、スムースなコンクリートの流れが阻害されるという問題もあった。
【０００８】
本発明は、上記した従来技術の有する問題点を解決するためになされたもので、１つの金物に基礎型枠板の間隔を保持する機能とアンカーボルトを支持する機能とを併せ備えさせることにより、金物の種類を減少させるとともに部材の合理化を図ることができ、さらに、金物の設置および撤去作業を大幅に低減させることのできる基礎型枠間隔保持用およびアンカーボルト保持用金物を提供することを目的とするものである。
【課題を解決するための手段】
【０００９】
上記目的を達成するため本発明の基礎型枠間隔保持用およびアンカーボルト保持用金物は、平行状態の左右の基礎型枠板の間隔を保持するとともにアンカーボルトを保持する金物において、基礎型枠板上に架け渡されて載置されるベース板と、該ベース板の下側に固定され左右の基礎型枠板の上端にそれぞれ嵌合する位置に設けられた一対の間隔保持部材と、該ベース板の上側に立設されベース板と所定の間隔を有しかつ平行部を有するアンカーボルト保持板とを具備してなり、ベース板およびアンカーボルト保持板にアンカーボルト挿通孔を設けることを特徴としている。
また、本発明の基礎型枠間隔保持用およびアンカーボルト保持用金物は、ベース板および間隔保持部材を貫通して覗き兼固定用の貫通孔を設けることを特徴としている。
また、本発明の基礎型枠間隔保持用およびアンカーボルト保持用金物は、間隔保持部材が、下向きに開口した略コ字状をしており、内側板より外側板を長く形成し、外側板は外側に開いた傾斜状に設けられることを特徴としている。    
また、本発明の基礎型枠間隔保持用およびアンカーボルト保持用金物は、アンカーボルト保持板が、ベース板から垂直に立ち上がる両側板と該両側板間に延びベース板に平行な天板とからなることを特徴としている。
【発明の効果】
【００１０】
本発明は、以下のような優れた効果を奏する。
（１）１つの金物に基礎型枠板の間隔を保持する機能とアンカーボルトを保持する機能とを併せ備えさせることにより、金物の種類を減少させることができる。
（２）１つの金物で形成する際、ベース部材を兼用させることができ、部材の合理化を図ることができる。
（３）設置する金物の数を半減することができるため、金物の設置および撤去に要する作業を大幅に低減させることができる。
（４）コンクリート打設時に打設されるコンクリートの流れが阻害されることを最小限にすることができる。
【発明を実施するための最良の形態】
【００１１】
本発明に係る基礎型枠間隔保持用およびアンカーボルト保持用金物を実施するための最良の形態を図面を参照して詳細に説明する。  
【００１２】
図１は、本実施の形態に係る基礎型枠間隔保持用およびアンカーボルト保持用金物が設置された状態を示す要部の斜視図であり、コンクリートの打設前の状態を示している。
コンクリートが打設される個所には、基礎砕石４１が敷き詰められ、その上に、左右の基礎型枠板４０、４０が平行状態に設置されるものである。基礎型枠板４０、４０は所定の間隔で長手方向に延びており、所定の高さを有している。
基礎型枠板４０、４０の間隔を一定に保持するとともに、アンカーボルトを保持する基礎型枠間隔保持用およびアンカーボルト保持用金物２０が基礎型枠板４０、４０の上部に長手方向に所定の間隔で複数個載置され、基礎型枠板４０、４０が所定の長さにわたって平行かつ一定幅で設置される。
【００１３】
基礎型枠間隔保持用およびアンカーボルト保持用金物２０の両側には、地中杭３５との間を接続するターンバックルロープ３４により下向き方向の力が作用するようになっており、基礎型枠板４０、４０の上部を基礎型枠間隔保持用およびアンカーボルト保持用金物２０により下向きに押し付け、安定的に保持するようになっている。
また、基礎型枠間隔保持用およびアンカーボルト保持用金物２０には、コンクリート基礎と上部構造物となる住宅の躯体とを接合するためのアンカーボルト２８が、下部をコンクリート基礎に埋設し、上部をコンクリート基礎上面から上方に延出するように取り付けられている。
【００１４】
図２は、基礎型枠間隔保持用およびアンカーボルト保持用金物２０が設置された状態を示す断面図であり、後に打設されるコンクリート３６が一点鎖線で示されている。  
図３は、基礎型枠間隔保持用およびアンカーボルト保持用金物２０の斜視図であり、また、図４は、基礎型枠間隔保持用およびアンカーボルト保持用金物２０を反転した状態を示す斜視図である。
【００１５】
図２〜４を参照しながら、基礎型枠間隔保持用およびアンカーボルト保持用金物２０を説明する。  
基礎型枠間隔保持用およびアンカーボルト保持用金物２０は、基礎型枠板４０、４０上に架け渡されて載置されるベース板２１と、該ベース板２１の下側に固定され左右の基礎型枠板４０、４０の上端にそれぞれ嵌合する位置に設けられた一対の間隔保持部材２２、２２と、該ベース板２１の上側に立設されベース板と所定の間隔を有しかつ平行部を有するアンカーボルト保持板２５とを具備している。
ベース板２１、間隔保持部材２２およびアンカーボルト保持板２５は、それぞれ、金属板から形成されており、溶接等により固定されるもので、ベース板２１は、間隔保持部材２２およびアンカーボルト保持板２５の両部材を所定の位置に固定する役割を果たしている。
また、ベース板２１の両側にはターンバックル３４に接続されるバーを通すための孔３２、３２が穿設されている。
【００１６】
間隔保持部材２２は、下向きに開口した略コ字状をしており、内側板２３より外側板２４を長く形成し、外側板２４は基部から先端に向けて外側にやや開いた傾斜状に設けられる。該略コ字状の大きさは基部において基礎型枠板４０の上部の幅とほぼ同じに、また、先端開口部においてやや大きく設定されている。
このため、基礎型枠板４０の上部に上方から間隔保持部材２２を嵌合させる場合、基礎型枠板４０の上部が外側板２４の傾斜面にガイドされるようにして略コ字状開口の基部まで嵌合する。その際、左右の間隔保持部材２２、２２の間隔は、内側板２３、２３の内側間寸法が基礎型枠板４０、４０の内側間寸法に一致するように設定されているので、両者が嵌合した時点では、基礎型枠板４０、４０は所定の間隔で保持されることになる。
【００１７】
基礎型枠間隔保持用およびアンカーボルト保持用金物２０を基礎型枠板４０、４０上にしっかりと固定するため、釘あるいはネジを用いる場合がある。基礎型枠板４０が木製の場合は釘が用いられ、金属製の場合は基礎型枠板に予め形成されているネジ穴に螺合するネジが用いられる。このため、ベース板２１および間隔保持部材２２には覗き兼固定用の貫通孔３３が穿設されている。
【００１８】
アンカーボルト保持板２５は、ベース板２１の上側かつ中央に位置して設けられるものであって、ベース板２１から垂直に立ち上がる両側板２６、２６と該両側板２６、２６間に延びベース板２１に平行な天板２７とから形成されている。
また、ベース板２１およびアンカーボルト保持板２５の天板２７にアンカーボルト２８を挿通するためのアンカーボルト挿通孔３０、３１がそれぞれ設けられている。      アンカーボルト２８は、通常、下端が曲げられたり、あるいは太く形成されているため、アンカーボルト挿通孔３０、３１の下側から上方に向けて挿通され、所定の位置でナット２９により固定される。
【００１９】
ベース板２１とアンカーボルト保持板２５の天板２７との間隔はアンカーボルト２８を鉛直に保持する観点からは大きいことが望まれるが、アンカーボルト２８の上部をコンクリート基礎上面から上方に延出する長さに制約あることから、一定の適切な寸法に設定される。この間隔は、住宅用の基礎の場合、約５〜１０ｃｍの範囲が望ましい。
【００２０】
本発明の基礎型枠間隔保持用およびアンカーボルト保持用金物２０は以下の要領で簡単に設置することができる。
（１）アンカーボルト２８をベース板２１およびアンカーボルト保持板２５のアンカーボルト挿通孔３０、３１に挿通し、所定の位置でナット２９により固定する。
（２）コンクリートが打設される個所の基礎砕石４１の上に左右の基礎型枠板４０、４０を平行状態に立設し、基礎型枠板４０、４０の上部に上方から基礎型枠間隔保持用およびアンカーボルト保持用金物２０の間隔保持部材２２を嵌合させる。
（３）上記（２）の作業を繰り返し、基礎型枠板４０、４０の長手方向に所定の間隔で基礎型枠間隔保持用およびアンカーボルト保持用金物２０を複数載置する。これにより、基礎型枠板４０、４０は、所定の幅で保持される。
（４）基礎型枠間隔保持用およびアンカーボルト保持用金物２０の両側の孔３２にターンバックルロープ３４の一方から延びたバーを嵌入し、ターンバックル３４の他方に延びたバーを地中杭３５に係合させ、ターンバックルロープ３４を締め込んで前記金物２０に下向き方向の力を作用させ、基礎型枠板４０、４０を安定的に支持する。
【図面の簡単な説明】
【００２１】
【図１】本実施の形態に係る基礎型枠間隔保持用およびアンカーボルト保持用金物が設置された状態を示す要部の斜視図である。
【図２】本実施の形態における基礎型枠間隔保持用およびアンカーボルト保持用金物が設置された状態を示す断面図である。
【図３】本実施の形態における基礎型枠間隔保持用およびアンカーボルト保持用金物の斜視図である。
【図４】本実施の形態における基礎型枠間隔保持用およびアンカーボルト保持用金物を反転した状態を示す斜視図である。
【図５】従来の基礎型枠板の間隔を保持する金物を説明するための断面図である。
【図６】従来のアンカーボルト支持具を説明するための斜視図である。
【符号の説明】
【００２２】
２０   基礎型枠間隔保持用およびアンカーボルト保持用金物
２１   ベース板   
２２   間隔保持部材  
２３   内側板
２４   外側板
２５   アンカーボルト保持板
２６    両側板
２７    天板
２８    アンカーボルト
２９    ナット
３０    アンカーボルト挿通孔
３１    アンカーボルト挿通孔
３２    孔
３３    貫通孔
３４    ターンバックル
３５    地中杭
３６    コンクリート
４０    基礎型枠板
４１    基礎砕石
【要約】
【課題】１つの金物に基礎型枠板の間隔を保持する機能とアンカーボルトを支持する機能とを併せ備えさせることにより、金物の種類を減少させるとともに部材の合理化を図ることができ、さらに、金物の設置および撤去作業を大幅に低減させることのできる金物を提供することを目的とするものである。                    
【解決手段】本発明の基礎型枠間隔保持用およびアンカーボルト保持用金物は、平行状態の左右の基礎型枠板の間隔を保持するとともにアンカーボルトを保持する金物において、基礎型枠板上に架け渡されて載置されるベース板と、該ベース板の下側に固定され左右の基礎型枠板の上端にそれぞれ嵌合する位置に設けられた一対の間隔保持部材と、該ベース板の上側に立設されベース板と所定の間隔を有しかつ平行部を有するアンカーボルト保持板とを具備してなり、ベース板およびアンカーボルト保持板にアンカーボルト挿通孔を設けることを特徴としている。
【選択図】    図２【図１】
0004119943.tif 000002
【図２】
0004119943.tif 000003
【図３】
0004119943.tif 000004
【図４】
0004119943.tif 000005
【図５】
0004119943.tif 000006
【図６】
0004119943.tif 000007